(57)【特許請求の範囲】
【請求項１】
複数のフェーズから構成され、各フェーズ毎の目標高調波レベルと到達時間を入力値とする高調波係数エンベロープ機能を持ち、エンベロープ設定が倍音毎に独立で行える高調波合成方式音源を有すると共に、任意に選択した音色の基本高調波係数を、エンベロープの各フェーズの目標高調波レベルとしてコピーし、且つ全倍音のエンベロープにおける同一フェーズの到達時間を一定にする合成機能を有することを特徴とする高調波係数エンベロープ機能を持つ電子楽器。
【請求項２】
複数のフェーズから構成され、各フェーズ毎の目標高調波レベルと到達時間を入力値とする高調波係数エンベロープ機能を持ち、エンベロープ設定が倍音毎に独立で行える高調波合成方式音源を有すると共に、複数の音色の基本高調波係数を記憶する基本高調波係数記憶手段と、該基本高調波係数記憶手段に記憶された基本高調波係数に対応する音色を選択する音色選択手段と、前記音色選択手段により選択された音色の基本高調波係数を基本高調波係数記憶手段から読み出す読み出し手段と、読み出された基本高調波係数をエンベロープの各フェーズの目標高調波レベルとしてコピーするコピー手段と、全倍音のエンベロープにおける同一フェーズの到達時間を一定にするフェーズ同期手段とを有することを特徴とする高調波係数エンベロープ機能を持つ電子楽器。
【発明の詳細な説明】
【０００１】
【発明の属する技術分野】
本発明は、高調波係数エンベロープ機能を持つ電子楽器に関する。
【０００２】
【従来の技術】
電子楽器では、異なる音色にスムーズに変化させるなど、通常の楽器では困難な音楽的表現をとることができる。また電子楽器の中には、音色作成など通常の楽器では困難な機能を持つものもある。
【０００３】
【発明が解決しようとする課題】
電子楽器において異なる音色に変化させる方法には、フェードイン・フェードアウト機能による方法がある。その場合、２音色間では、スムーズな音色の変化が期待できるが、それ以上の音色間では、音を継ぎ足したような不自然な感じになり、実際には２音色間の変化が限界であった。
【０００４】
また音色作成の行える電子楽器の中には、加算合成型の音色作成の行えるものがあり、更にその中には、高調波係数エンベロープ機能を持ち、且つエンベロープ設定が倍音毎に独立で行える高調波合成方式音源を備えているものがある。このような電子楽器では、図３に示すように、エンベロープを、複数のフェーズ（図ではフェーズ１〜フェーズ４として示されている）で構成し、各フェーズ毎に目標高調波レベル（図ではＬ１〜Ｌ４として示されている）と到達時間（図ではＴ１〜Ｔ４として示されている）を設定することができ、これらを複数の倍音分設定（但し全倍音のエンベロープの同じフェーズの到達時間を一定にする必要がある）し、高調波係数エンベロープを設定することになる。しかし高調波係数エンベロープを設定するのに、倍音の数が多くなればなるほど、このような設定の手間が増えることになり、ユーザはその設定で多大な労力を強いられることになる。
【０００５】
本発明は従来技術の以上のような問題に鑑み創案されたもので、時間経過と共に選択された音色に次々に移行していくことのできるモーフィング効果が期待でき、且つ高調波係数エンベロープの設定時に簡単にその設定ができる高調波係数エンベロープ機能を持つ電子楽器を提供せんとするものである。
【０００６】
【課題を解決するための手段】
そのため本発明に係る電子楽器の構成は、複数のフェーズから構成され、各フェーズ毎の目標高調波レベルと到達時間を入力値とする高調波係数エンベロープ機能を持ち、エンベロープ設定が倍音毎に独立で行える高調波合成方式音源を有すると共に、任意に選択した音色の基本高調波係数を、エンベロープの各フェーズの目標高調波レベルとしてコピーし、且つ全倍音のエンベロープにおける同一フェーズの到達時間を一定にする合成機能を有することを基本的特徴としている。
【０００７】
更に上記の合成機能は、複数の音色の基本高調波係数を記憶する基本高調波係数記憶手段と、該基本高調波係数記憶手段に記憶された基本高調波係数に対応する音色を選択する音色選択手段と、前記音色選択手段により選択された音色の基本高調波係数を基本高調波係数記憶手段から読み出す読み出し手段と、読み出された基本高調波係数をエンベロープの各フェーズの目標高調波レベルとしてコピーするコピー手段と、全倍音のエンベロープにおける同一フェーズの到達時間を一定にするフェーズ同期手段とを有することで、達成される。
【０００８】
【作用】
音色選択手段により選択された音色の基本高調波係数を、読み出し手段により基本高調波係数記憶手段から読み出し、更にそれを、上記高調波係数エンベロープ機能により入力される各フェーズ毎の目標高調波レベルとして、前記コピー手段によりコピーする。それと共に、更に前記フェーズ同期手段により全倍音のエンベロープにおける同一フェーズの到達時間を一定にし、前記音源で発音せしめる。すると、発音開始から時間経過に伴って、選択された音色に次々に移行していくことになる。
【０００９】
【発明の実施の形態】
以下本発明の具体的実施形態構成につき説明する。図１は本発明に係る高調波係数エンベロープ機能を持つ電子楽器の一実施形態構成を示す装置構成説明図である。
【００１０】
図１においてバス１００上に、ＣＰＵ１０１、ＲＡＭ１０２、ＲＯＭ１０３、ＦＤやＨＤなどの外部記憶装置１０４、鍵盤インターフェース１０５ａを介して繋がる鍵盤部１０５、パネルインターフェース１０６ａを介して繋がりパネルスイッチによる操作のできるパネル操作部１０６、楽音信号発生回路１０７が各接続されており、該バス１００を通じてこれらのデバイスに各種命令やデータの受け渡しがなされる。
【００１１】
図２は、上記装置構成により構成される本電子楽器の機能ブロックを示しており、図中１は高調波合成方式音源、２は基本高調波係数記憶手段、３は音色選択手段、４は読み出し手段、５はコピー手段、６はフェーズ同期手段である。
【００１２】
上記高調波合成方式音源１は、ＣＰＵ１０１及びその処理プログラムを記憶したＲＯＭ１０３と処理中のテンポラリーデータを記憶しておくＲＡＭ１０２及び楽音信号発生回路１０７で構成されている。そして該音源１は、図３に示されるように、複数のフェーズ（図中鍵盤部１０５のキーオンで始まるフェーズ１〜キーオフで開始されるフェーズ４）から構成され、各フェーズ毎の目標高調波レベル（図中Ｌ１〜Ｌ４）と到達時間（図中Ｔ１〜Ｔ４）を入力値とする高調波係数のエンベロープを作成する高調波係数エンベロープ機能を有しており、各倍音毎に独立してこのようなエンベロープ設定ができるようになっている。本構成では、後述するフェーズ同期手段６で設定可能なＴ１乃至Ｔ４の時間を、上記高調波係数エンベロープ機能で設定される到達時間として設定できるようになっている。
【００１３】
前記基本高調波係数記憶手段２は、ＲＯＭ１０３、外部記憶装置１０４、或いは外部記憶装置１０４から読み出されたデータを記憶するＲＡＭ１０２等からなる係数テーブルで構成され、各種音色の基本高調波係数データ（本構成では各音色につき６４高調波分）をそれに記憶している。
【００１４】
前記音色選択手段３は、パネル操作部１０６で構成されており、フェーズ１〜４のフェーズ選択スイッチと前記基本高調波係数記憶手段２に記憶された６４の基本高調波係数に対応する音色の音色選択スイッチからなり、該構成で、各フェーズ毎に、音色の選択ができるようになっている。
【００１５】
前記読み出し手段４は、ＣＰＵ１０１及びＲＡＭ１０２で構成されており、音色選択手段３で選択された音色の基本高調波係数のデータを基本高調波係数記憶手段２から読み出し、それを一時的に記憶しておくものである。
【００１６】
前記コピー手段５は、ＣＰＵ１０１で構成されており、読み出し手段４によって読み出され一時的に記憶されている基本高調波係数を、各フェーズ毎の目標高調波レベルＬ１乃至Ｌ４としてコピーする。
【００１７】
前記フェーズ同期手段６は、ＣＰＵ１０１及びパネル操作部１０６で構成されるようになっており、パネル操作部１０６の操作により決定された時間を、前記音源１の上記高調波係数エンベロープ機能で設定される到達時間Ｔ１〜Ｔ４として設定でき、且つ全倍音のエンベロープにおける同一フェーズの到達時間を一定にすることができるようになっている。
【００１８】
ユーザは、パネル操作部１０６を操作して音色選択手段３により、各フェーズ毎に、６４種類の音色の中から任意の音色を選択する。この選択の結果、選択された音色の基本高調波係数が、基本高調波係数記憶手段２から読み出し手段４により読み出され、更にコピー手段５により、その基本高調波係数が、図４に示されるように、各フェーズ毎の目標高調波レベルＬ１乃至Ｌ４としてコピーされる。他方、ユーザは、同じくパネル操作部１０６を操作してフェーズ同期手段６により、前記音源１の上記高調波係数エンベロープ機能における到達時間Ｔ１〜Ｔ４を設定する。すると、全倍音のエンベロープにおける同一フェーズの到達時間が一致することになる。この状態で音源１を発音させると、発音開始から時間経過に伴って、選択された音色に次々に移行していく音色上のモーフィング効果が得られ、音楽表現の新たな手法を提供できることになる。また従来構成では、倍音毎のエンベロープ設定を行おうとすると、１音色につき、各フェーズ毎に６４倍音分の高調波レベルＬと到達時間Ｔを指定する必要があるため、そのデータ数は、６４（倍音）×４（フェーズ）×２（レベル＋タイム）＝５１２となり、その設定に大変な労力が必要となる。しかし、本構成では、各フェーズ毎に６４倍音分の高調波レベルが、１つの基本高調波係数の設定でできるため、そのデータ数は、４（フェーズ）×２（音色指定＋タイム）＝８となり、その設定が非常に容易になる。
【００１９】
【発明の効果】
以上詳述した本発明の構成によれば、時間経過と共に選択された音色に次々に移行していくことのできる音色上のモーフィング効果が得られるようになり、音楽表現の新たな手法を提供できることになる。また各フェーズ毎に１音色を構成する複数の倍音分の高調波レベルが、１つの基本高調波係数の設定でできるため、高調波係数エンベロープの大量のデータのエディットを容易に行うことができるようになる。
【図面の簡単な説明】
【図１】本発明に係る高調波係数エンベロープ機能を持つ電子楽器の一実施形態構成を示す装置構成説明図である。
【図２】上記装置構成により構成される本電子楽器の機能ブロック図である。
【図３】高調波係数エンベロープ機能のエンベロープ及び設定パラメータを示す説明図である。
【図４】本構成によるエンベロープ設定状態を示す説明図である。
【符号の説明】
１        音源
２        基本高調波係数記憶手段
３        音色選択手段
４        読み出し手段
５        コピー手段
６        フェーズ同期手段
１００        バス
１０１        ＣＰＵ
１０２        ＲＡＭ
１０３        ＲＯＭ
１０４        外部記憶装置
１０５        鍵盤部
１０５ａ      鍵盤インターフェース
１０６        パネル操作部
１０６ａ      パネルインターフェース
１０７        楽音信号発生回路
【図１】
0003558814.tif 000002
【図２】
0003558814.tif 000003
【図３】
0003558814.tif 000004
【図４】
0003558814.tif 000005